(57)【要約】      （修正有）【課題】ステップ部材同士の長さ方向の連結部分の強度を高くすると共に、ステップ部材同士を長さ方向に連結する際に容易にその長さ方向を水平方向に一致させるよう配置させることができるプレハブ式階段を提供する。【解決手段】水平に配置される踏み板４と、この踏み板４の踏み面４ａに対して垂直に配置される蹴上げ板６とを有する複数のステップ部材８が、傾斜方向に沿って階段状に並べて配置されるプレハブ式階段４０において、長さ方向に直列に並べた複数のステップ部材８の踏み板４の裏面に、長さ方向の略全体に渡って接合されることにより複数のステップ部材８を長さ方向に連結する１つの連結部材４２を備えたこと。【選択図】図１
0003184183.tif 000002
【実用新案登録請求の範囲】
【請求項１】
水平に配置される踏み板と、この踏み板の踏み面に対して垂直に配置される蹴上げ板とを有する複数のステップ部材が、傾斜方向に沿って階段状に並べて配置されるプレハブ式階段において、
長さ方向に直列に並べた複数の前記ステップ部材の踏み板の裏面に、長さ方向の略全体に渡って接合されることにより複数の前記ステップ部材を長さ方向に連結する１つの連結部材を備えた
ことを特徴とするプレハブ式階段。
【請求項２】
前記連結部材の前記踏み板に接合される板部の前記踏み板と反対側に固定された複数のナットと、
前記踏み板の上面より下方に頭部が埋め込まれ、ネジ部が前記踏み板と前記連結部材の板部を貫通して下方に伸びた複数のボルトとをネジ締結して、
複数の前記ステップ部材に前記連結部材を固定することにより複数の前記ステップ部材を長さ方向に直列に並べて連結した
ことを特徴とする請求項１に記載のプレハブ式階段。
【請求項３】
前記連結部材には、その長さ方向に４個以上の前記ナットが固定され、長さ方向に並べた複数の前記ステップ部材には、それらの長さ方向に合計４個以上の前記ボルトが設けられたことを特徴とする請求項２に記載のプレハブ式階段。
【請求項４】
複数の前記ステップ部材が前記連結部材を介して長さ方向に互いに連結した連結ステップ部材を形成し、
前記連結ステップ部材それぞれが階段の各段を構成するように傾斜方向に沿って設けられた
ことを特徴とする請求項１ないし３のいずれかに記載のプレハブ式階段。
【請求項５】
各段の前記連結ステップ部材が、釘状の固定部材を介して傾斜面に固定されたことを特徴とする請求項４に記載のプレハブ式階段。
【請求項６】
各段の前記連結ステップ部材が、傾斜面上の傾斜方向に互いに平行に配置された複数の棒状部材の上に階段状に並べて固定されたことを特徴とする請求項４又は５に記載のプレハブ式階段。
【考案の詳細な説明】
【技術分野】
【０００１】
本考案は、プレハブ式階段に関するものである。
【背景技術】
【０００２】
図７から図９は、従来のプレハブ式階段２０（例えば、特許文献１参照）を説明するために参照する図である。このプレハブ式階段２０は、例えば山間部における登山道や、工事現場等の傾斜面に簡単に取付けることができる階段として使用される。
【０００３】
プレハブ式階段２０は、図７に示すように、踏み板４と蹴上げ板６とが一体形成された合成樹脂製の複数のステップ部材８が階段状に配置されていた。
【０００４】
また、図８に示すように、プレハブ式階段２０の横幅方向に、２つのステップ部材８それぞれの長さ方向の端部同士を接触させて配置させることにより、それらの踏み板４同士及び蹴上げ板６同士が長さ方向に互いに隣合うように並んで配置されていた。
【０００５】
そして、長さ方向に互いに隣合う２つのステップ部材８の踏み板４の端部同士を合成樹脂製の連結板２２を介して連結することにより、連結ステップ部材２４が形成されていた。
【０００６】
連結板２２は、各連結ステップ部材２４における、互いに隣合う踏み板４の両方の端部に渡ってそれらの裏面に当接され、図８，９に示すように、２組のボルト２６とナット２８のネジ締結により踏み板４の互いに隣合う端部に固定されていた。
【０００７】
ステップ部材８には、図９に示すように、その踏み板４の幅方向において、地面の傾斜面７寄りの端部に、上方に高さを有する取付け板部１０が一体的に形成されていた。そして、ステップ部材８の上側に隣合って配置された別のステップ部材８の、蹴上げ板６の下端部が、下側のステップ部材８の踏み板４の踏み面４ａ（上面）に突き当てられると共に、この踏み板４の取付け板部１０の、傾斜面７と反対側の立ち上がり面に接触して配置されていた。
【０００８】
そして、釘部材１２が、蹴上げ板６と踏み板４の取付け板部１０を貫通するように打込まれて、上下に隣合うステップ部材８同士が互いに連結されていた。
【０００９】
また、各ステップ部材８には、釘部材１２よりも大きな釘のような形状の鋼棒１４（固定部材）が、踏み板４の踏み面４ａから下方に打込まれて踏み板４を貫通しており、この鋼棒１４の先端部が傾斜面７の土中に突き刺さることにより、プレハブ式階段２０は地面の傾斜面７上に固定されていた。
【００１０】
また、図７及び図８に示すように、最下段のステップ部材８が、傾斜面７に沿う方向の土圧や、降雨時の水流の力等を受けて傾斜面７の下流側に移動しないように、地中に打込まれた鋼棒１４よりさらに径が大きい杭１６に当接して、その杭１６の抵抗力により強固に支えられていた。
【００１１】
このような、従来のプレハブ式階段２０は、その連結ステップ部材２４が、図８に示すように、長さ方向に互いに隣り合う一定の長さ寸法を有する複数のステップ部材８を連結して形成されていたため、その使用目的や傾斜面７の状態等に応じて連結ステップ部材２４の長さ寸法を長く、すなわちプレハブ式階段２０の幅を広げることができるようになっていた。
【先行技術文献】
【特許文献】
【００１２】
【特許文献１】実用新案登録第３１１９５２２号公報
【考案の概要】
【考案が解決しようとする課題】
【００１３】
しかしながら、前記特許文献１に係るプレハブ式階段２０は、２組のボルト２６とナット２８の締結により、２つの踏み板４の両方の長さ方向端部間に合成樹脂製の連結板２２を固定することにより、長さ方向に互いに隣合う２つのステップ部材８同士を連結していた。
【００１４】
このため、プレハブ式階段２０が、例えば避難路用階段等に用いられて、大勢の人がその階段上に殺到するような場合には、ステップ部材８同士の連結部分の強度が、その上の大勢の人の重さに耐えられないおそれがあるという問題があった。
【００１５】
また、各連結ステップ部材２４を形成する際、２つのステップ部材８を互いに水平になるように、長さ方向に直列に隣合わせてから、２つのステップ部材８同士を長さ寸法が短い連結板２２を介して連結していた。このため、２つのステップ部材８それぞれの長さ方向を、２つ共水平方向に一致させるよう配置させるのに著しく手間が掛かるという問題があった。
【００１６】
そこで本考案は、上記問題点に鑑みて、ステップ部材同士の長さ方向の連結部分の強度を高くすると共に、ステップ部材同士を長さ方向に連結する際に容易にその長さ方向を水平方向に一致させるよう配置させることができるプレハブ式階段を提供することを課題とするものである。
【課題を解決するための手段】
【００１７】
上記課題を解決するために、本考案によるプレハブ式階段は、
水平に配置される踏み板と、この踏み板の踏み面に対して垂直に配置される蹴上げ板とを有する複数のステップ部材が、傾斜方向に沿って階段状に並べて配置されるプレハブ式階段において、
長さ方向に直列に並べた複数の前記ステップ部材の踏み板の裏面に、長さ方向の略全体に渡って接合されることにより複数の前記ステップ部材を長さ方向に連結する１つの連結部材を備えたことを特徴とするものである。
【００１８】
また、本考案によるプレハブ式階段は、
前記連結部材の前記踏み板に接合される板部の前記踏み板と反対側に固定された複数のナットと、
前記踏み板の上面より下方に頭部が埋め込まれ、ネジ部が前記踏み板と前記連結部材の板部を貫通して下方に伸びた複数のボルトとをネジ締結して、
複数の前記ステップ部材に前記連結部材を固定することにより複数の前記ステップ部材を長さ方向に直列に並べて連結したことを特徴とするものである。
【００１９】
また、本考案によるプレハブ式階段は、
前記連結部材には、その長さ方向に４個以上の前記ナットが固定され、長さ方向に並べた複数の前記ステップ部材には、それらの長さ方向に合計４個以上の前記ボルトが設けられたことを特徴とするものである。
【００２０】
また、本考案によるプレハブ式階段は、
複数の前記ステップ部材が前記連結部材を介して長さ方向に互いに連結した連結ステップ部材を形成し、
前記連結ステップ部材それぞれが階段の各段を構成するように傾斜方向に沿って設けられたことを特徴とするものである。
【００２１】
また、本考案によるプレハブ式階段は、
各段の前記連結ステップ部材が、釘状の固定部材を介して傾斜面に固定されたことを特徴とするものである。
【００２２】
また、本考案によるプレハブ式階段は、
各段の前記連結ステップ部材が、傾斜面上の傾斜方向に互いに平行に配置された複数の棒状部材の上に階段状に並べて固定されたことを特徴とするものである。
【考案の効果】
【００２３】
このような本考案のプレハブ式階段によれば、
水平に配置される踏み板と、この踏み板の踏み面に対して垂直に配置される蹴上げ板とを有する複数のステップ部材が、傾斜方向に沿って階段状に並べて配置されるプレハブ式階段において、
長さ方向に直列に並べた複数の前記ステップ部材の踏み板の裏面に、長さ方向の略全体に渡って接合されることにより複数の前記踏み板を長さ方向に連結する連結部材を備えたことにより、
ステップ部材同士の長さ方向の連結部分の強度を高くすると共に、ステップ部材同士を長さ方向に連結する際に容易にその長さ方向を水平方向に一致させるよう配置させることができる。
【図面の簡単な説明】
【００２４】
【図１】本考案の第１の実施の形態に係るプレハブ式階段４０を示すその側面図である。
【図２】図１におけるプレハブ式階段４０を示すその平面図である。
【図３】図１におけるプレハブ式階段４０の部分拡大側面図である。
【図４】本考案の第２の実施の形態に係るプレハブ式階段６０を示すその側面図である。
【図５】図４におけるプレハブ式階段６０を示すその平面図である。
【図６】図４におけるプレハブ式階段６０の部分拡大側面図である。
【図７】従来のプレハブ式階段２０を示すその側面図である。
【図８】図７におけるプレハブ式階段２０を示すその平面図である。
【図９】図７におけるプレハブ式階段２０の部分拡大側面図である。
【考案を実施するための形態】
【００２５】
以下、本考案に係るプレハブ式階段を実施するための形態について、図面に基づいて具体的に説明する。
【００２６】
図１から図３は、本考案の第１の実施の形態に係るプレハブ式階段４０について説明するために参照する図である。これらの図に示すプレハブ式階段４０は、従来のプレハブ式階段２０と同様の部分には同じ符号を付して説明し、従来と同様の構成についての重複する説明は一部を除き省略するものとする。
【００２７】
本実施の形態に係るプレハブ式階段４０においては、図１及び図２に示すように、その長さ方向に互いに隣合う２つのステップ部材８の、それぞれの長さ方向に渡って、踏み板４の踏み面４ａの裏面に、長さがステップ部材８の長さの２倍より少し短くて、断面がＬ字型の１つの連結部材４２の断面の水平板部が接合されることにより、２つのステップ部材８が互いに長さ方向に連結される、連結ステップ部材２４が形成されている。
【００２８】
連結部材４２は、断面がＬ字型の山形鋼材により構成されているが、山形鋼材に限定する必要はなく、山形鋼材の代わりに例えば、角形鋼管、丸形鋼管、溝形鋼材、Ｈ形鋼材等の、他の形状の鋼材を用いてもよい。
【００２９】
図３に示すように、ステップ部材８の踏み板４の踏み面４ａの裏面に接合する、連結部材４２の水平の板部の平面部４２ａと反対側の面（図中、水平の板部の下面）に、ナット４８が溶接により固定されて設けられている。
【００３０】
ステップ部材８の踏み板４には、ナット４８とネジ締結するボルト４６が挿通するための貫通孔が形成されていると共に、連結部材４２の水平の板部にもそのボルト４６が挿通するための貫通孔が形成されている。
【００３１】
また、ステップ部材８は、踏み板４の上記ボルト４６が挿通する貫通孔の上端部には、踏み面４ａに開口する上端から所定の深さまでの径が、その所定の深さより下方の本来の貫通孔の径より大きくなっている凹部が形成されている。
【００３２】
ボルト４６のオネジ部が踏み板４の貫通孔に挿通されると、ボルト４６の頭部が上記凹部に埋め込まれた状態となって、踏み板４の踏み面４ａの上に乗った人の靴がボルト４６の頭部に引っかからないようになっている。
【００３３】
そして、ボルト４６のオネジ部の下端部が、連結部材４２の断面の水平板部の貫通孔を挿通した後、ナット４８のメネジ部とネジ締結することにより、連結部材４２は踏み板４の踏み面４ａの裏面に接合されている。
【００３４】
このように、ボルト４６とナット４８がネジ締結することにより、その長さ方向に互いに隣合う２つのステップ部材８（図２参照）のそれぞれが、１本の連結部材４２の略全長に渡ってその水平板部の平面部４２ａに共に固定されるようになっている。
【００３５】
連結部材４２は、図２に示すように、連結ステップ部材２４の全長より短くなってはいるが、連結ステップ部材２４の長さの略全体に渡ってその平面部４２ａが接合されており、互いに隣合う２つのステップ部材８の踏み板４の境界線と、連結部材４２の長さ方向の中央位置が重なるように配置されている。
【００３６】
また、互いにネジ締結する１組のボルト４６とナット４８は、図２に示すように、連結部材４２の長さ方向に間隔を置いて４組設けられている。
【００３７】
その内の２組のボルト４６とナット４８は、互いに隣合う２つの踏み板４の境界線の近傍寄りの位置、すなわち図２における連結部材４２の左右方向の内側の位置に、その境界線に対して互いに略線対称となるように配置されている。
【００３８】
また、他の２組のボルト４６とナット４８は、連結部材４２の長さ方向の端部寄りの位置、すなわち図２における連結部材４２の左右方向の外側の位置に、互いに隣合う２つの踏み板４の境界線に対して互いに略線対称となるように配置されている。
【００３９】
以上に説明したように、本実施の形態に係るプレハブ式階段４０は、連結部材４２の水平板部に溶接された４個のナット４８に、ステップ部材８の踏み板４にその頭部が埋め込まれた４個のボルト４６のオネジ部がネジ締結されることにより、２つのステップ部材８が１つの連結部材４２に強固に固定されている。
【００４０】
したがって、長さ方向に互いに隣合う２つのステップ部材８が、その長さの略全体に渡って接合された１つの連結部材４２を介して連結されることにより、連結部分に加わる力が大きいときは連結部材４２に発生する応力をその長さ方向に分散させることができるので、連結部分の強度が高い連結ステップ部材２４を形成することができる。
【００４１】
このため、プレハブ式階段４０は、前記従来のプレハブ式階段２０に比べて、ステップ部材８同士の長さ方向の連結部分の強度を高くすることができる。
【００４２】
また、連結部材４２は、連結ステップ部材２４の長さ方向の略全体に渡ってその板部を接合するため、長さ方向に互いに隣合うように２つのステップ部材８をそれぞれ、連結部材４２の板部の同一平面上に載置して固定することにより、連結部材４２を水平方向と一致させると、２つのステップ部材８の方向を容易に水平方向と一致させることができる。
【００４３】
また、連結部材４２は合成樹脂より高い剛性を有する鋼材で形成されているため、連結部材４２の平面部４２ａを有する水平板部の形状が簡単に変形しないようにすることができる。
【００４４】
このため、プレハブ式階段４０は、前記従来のプレハブ式階段２０に比べて、２つのステップ部材８同士を長さ方向に連結することにより、２つ共容易に水平方向に一致するよう配置させることができる。
【００４５】
したがって、以上に説明したように、本実施の形態に係る回転促進装置４０によれば、ステップ部材８同士の長さ方向の連結部分の強度を高くすると共に、ステップ部材８同士を長さ方向に連結する際に容易にその長さ方向を水平方向と一致させることができるプレハブ式階段を提供することができる。
【００４６】
次に、図４から図６は、本考案の第２の実施の形態に係るプレハブ式階段６０について説明するために参照する図である。前記第１の実施の形態と同様の部分には同じ符号を用いて説明し、同様の構成についての重複する説明は一部を除き省略するものとする。
【００４７】
本実施の形態に係るプレハブ式階段６０は、図４及び図５に示すように、地面の傾斜面７上に傾斜方向に互いに平行に配置された、合成樹脂製の４本の棒状部材６２の上に、２つのステップ部材８が互いに長さ方向に連結された連結ステップ部材２４が、棒状部材６２の長さ方向に階段状に並べて固定されている。
【００４８】
各連結ステップ部材２４を構成する各ステップ部材８の踏み板４には、図６に示すように、この上側に別の連結ステップ部材２４が配置される前に、その踏み板４における取付け板部１０の近傍に、釘部材６４が踏み面４ａから傾斜面７に向かって、傾斜面７に対して略直角方向に打込まれる。
【００４９】
このようにして、釘部材６４の先端側が、踏み板４の下側の棒状部材６２に突き刺さることにより、連結ステップ部材２４を構成するステップ部材８の踏み板４は、棒状部材６２に固定されている。そして、釘部材６４の頭部は、踏み板４の上側に配置される別の連結ステップ部材２４の蹴上げ板６の下端に覆われて、外部からは見えないようになっている。
【００５０】
ステップ部材８と連結部材４２から構成される連結ステップ部材２４は、前記第１の実施の形態と同様の構成であるので、その詳しい説明は省略する。
【００５１】
このような本考案の第２の実施の形態に係るプレハブ式階段６０によれば、前記第１の実施の形態と同様に、ステップ部材同士の長さ方向の連結部分の強度を高くすると共に、ステップ部材同士を長さ方向に連結する際に容易にその長さ方向を水平方向と一致させることができるプレハブ式階段を提供することができる。
【００５２】
また、本実施の形態に係るプレハブ式階段６０によれば、連結ステップ部材２４が、傾斜面７上に傾斜方向に互いに平行に配置された複数の棒状部材６２の上に固定されるようになっていることにより、連結ステップ部材２４が傾斜面７の凹凸の影響を直接受けないので、プレハブ式階段６０の強度、安定性及び組立性を向上させることができる。
【００５３】
なお、前記第１及び第２の実施の形態に係るプレハブ式階段４０，６０において、連結ステップ部材２４は、２枚のステップ部材８が連結部材４２を介して連結される構成であったが、３つ以上のステップ部材８が１つの連結部材４２を介して連結される構成であってもよい。
【００５４】
その場合は、連結部材４２が、長さ方向に連結する３枚以上のステップ部材８と接触できるように、ステップ部材８の枚数に応じた長さ寸法を有するように形成される必要があると共に、ネジ締結するボルト４６とナット４８の個数をステップ部材８の枚数に応じた個数に増やす必要がある。
【００５５】
また、前記第１及び第２の実施の形態に係るプレハブ式階段４０，６０において、連結部材４２には鋼材が用いられていたが、所定の強度を有する材料であれば、連結部材には鋼材以外の材料を用いてもよい。
【００５６】
また、前記第１及び第２の実施の形態に係るプレハブ式階段４０，６０において、互いにネジ締結される１組のボルト４６とナット４８が、連結部材４２の長さ方向に４組設けられる構成を示したが、４組に限定する必要はなく、４組より多く設けられていてもよい。
【００５７】
また、前記第１及び第２の実施の形態に係るプレハブ式階段４０，６０において、踏み板４が連結部材４２に接合される構成を示したが、踏み板４と蹴上げ板６の両方が２つの連結部材４２それぞれに接合されるようになっていてもよい。
【００５８】
また、前記第１及び第２の実施の形態に係るプレハブ式階段４０，６０において、それらを構成するステップ部材８、及び棒状部材６２は合成樹脂製である場合について説明したが、そして再生プラスチックを用いるのが好ましいが、プラスチック以外の材料を用いてもよいことは言うまでもない。
【符号の説明】
【００５９】
４  踏み板
４ａ  踏み面
６  蹴上げ板
７  傾斜面
８  ステップ部材
１０  取付け板部
１２  釘部材
１４  鋼棒
１６  杭
２０  プレハブ式階段
２２  連結板
２４  連結ステップ部材
２６  ボルト
２８  ナット
４０  プレハブ式階段
４２  連結部材
４２ａ  平面部
４６  ボルト
４８  ナット
６０  プレハブ式階段
６２  棒状部材
６４  釘部材
【図１】
0003184183.tif 000003
【図２】
0003184183.tif 000004
【図３】
0003184183.tif 000005
【図４】
0003184183.tif 000006
【図５】
0003184183.tif 000007
【図６】
0003184183.tif 000008
【図７】
0003184183.tif 000009
【図８】
0003184183.tif 000010
【図９】
0003184183.tif 000011